(57)【要約】【課題】開閉扉を筐体から容易に取り外すことができる医療用ハンドピースの給油メンテナンス装置を提供する。【解決手段】医療用ハンドピースの給油メンテナンス装置１は、筐体１０と、開閉扉２０と、連結部ＣＰとを備えている。連結部ＣＰは、軸部ＣＰ１と、保持部ＣＰ２とを含んでいる。保持部ＣＰ２は、受け入れ口ＲＯと、収納部ＴＰとを含んでいる。保持部ＣＰ２は、軸部ＣＰ１を保持した状態では、軸部ＣＰ１の少なくとも一部と受け入れ口ＲＯとの間において軸部ＣＰ１の径又は厚みよりも収納部ＴＰの隙間が小さくなるように構成されており、かつ開閉扉２０を軸部ＣＰ１の軸方向と直交する方向に引き出すことにより軸部ＣＰ１が取り外されるときに、軸部ＣＰ１の径又は厚みよりも隙間が大きくなるように保持部ＣＰ２が弾性変形するように構成されている。【選択図】図５
2019208740.tif 000002
【特許請求の範囲】
【請求項１】
医療用ハンドピースの給油メンテナンス装置であって、
開口部を有し前記医療用ハンドピースを収容する収容室が設けられた筐体と、
前記収容室の前記開口部に対して開閉可能であり、かつ前記筐体に対して着脱可能な開閉扉と、
前記筐体と前記開閉扉とを連結する連結部とを備え、
前記連結部は、前記筐体および前記開閉扉のいずれか一方に取り付けられた軸部と、前記筐体および前記開閉扉のいずれか他方に取り付けられ、かつ前記軸部を保持する保持部とを含み、
前記保持部は、前記軸部を受け入れる受け入れ口と、前記受け入れ口に連通し前記軸部を収納する収納部とを含み、
前記保持部は、
前記軸部を保持した状態では、前記軸部の少なくとも一部と前記受け入れ口との間において前記軸部の径又は厚みよりも前記収納部の隙間が小さくなるように構成されており、かつ
前記開閉扉を前記軸部の軸方向と直交する方向に引き出すことにより前記軸部が取り外されるときに、前記軸部の径又は厚みよりも前記隙間が大きくなるように前記保持部が弾性変形するように構成されている、医療用ハンドピースの給油メンテナンス装置。
【請求項２】
前記保持部は、板バネおよびボールプランジャの少なくともいずれかを含む、請求項１に記載の医療用ハンドピースの給油メンテナンス装置。
【請求項３】
前記軸部は、前記筐体に取り付けられており、
前記保持部は、前記開閉扉に取り付けられている、請求項１または２に記載の医療用ハンドピースの給油メンテナンス装置。
【請求項４】
前記連結部は、前記軸部の前記軸方向に沿って前記開閉扉の一方側および他方側に配置されている、請求項１〜３のいずれか１項に記載の医療用ハンドピースの給油メンテナンス装置。
【請求項５】
前記開閉扉は、前記開閉扉が開かれた状態を前記軸方向から見たときに、前記開閉扉と前記筐体の底部との成す角度が１８０度未満となるように構成されている、請求項１〜４のいずれか１項に記載の医療用ハンドピースの給油メンテナンス装置。
【請求項６】
前記開閉扉は、透明および半透明の少なくともいずれかの部材から構成されている、請求項１〜５のいずれか１項に記載の医療用ハンドピースの給油メンテナンス装置。
【請求項７】
前記開閉扉は平板状に構成された平板部を含んでいる、請求項１〜６のいずれか１項に記載の医療用ハンドピースの給油メンテナンス装置。
【請求項８】
前記開閉扉は、前記平板部から内側に突出する液受け部を含み、
前記液受け部は、前記開閉扉の下部に配置されている、請求項７に記載の医療用ハンドピースの給油メンテナンス装置。
【請求項９】
前記液受け部は、前記平板部に着脱可能に構成されている、請求項８に記載の医療用ハンドピースの給油メンテナンス装置。
【請求項１０】
前記筐体は、前記開口部と前記開閉扉との間の空間を封止するシール部材を含み、
前記シール部材は、前記開口部を取り囲むように配置されている、請求項１〜９のいずれか１項に記載の医療用ハンドピースの給油メンテナンス装置。
【請求項１１】
固定部材をさらに備え、
前記固定部材は、前記開閉扉が閉じられた状態で前記開閉扉を前記筐体に固定するように構成されている、請求項１〜１０のいずれか１項に記載の医療用ハンドピースの給油メンテナンス装置。
【発明の詳細な説明】
【技術分野】
【０００１】
本発明は、医療用ハンドピースの給油メンテナンス装置に関するものである。
【背景技術】
【０００２】
医療用ハンドピースの給油メンテナンス装置は、例えば特許第４５１４７１３号公報（特許文献１）に提案されている。この公報に記載された医療用ハンドピースの給油メンテナンス装置では、筐体には医療用ハンドピースを収容する収容室が設けられている。収容室の開口部を覆うように開閉扉が配置されている。開閉扉は筐体の下端部にヒンジにより回転可能に支持されている。メンテナンス時に、医療用ハンドピースに油（潤滑油）が供給される。その後、医療用ハンドピースに空気が供給される。これにより、医療用ハンドピースに残留する油が排出される。医療用ハンドピースから排出された油は収容室および開閉扉に付着する。
【先行技術文献】
【特許文献】
【０００３】
【特許文献１】特許第４５１４７１３号公報
【発明の概要】
【発明が解決しようとする課題】
【０００４】
上記公報に記載された医療用ハンドピースの給油メンテナンス装置では、開閉扉が筐体に支持された状態で開閉扉に付着した油を清掃する必要がある。そのため、開閉扉に付着した油を清掃し難いという問題がある。
【０００５】
本発明は上記課題に鑑みてなされたものであり、その目的は、開閉扉を筐体から容易に取り外すことができる医療用ハンドピースの給油メンテナンス装置を提供することである。
【課題を解決するための手段】
【０００６】
本発明の医療用ハンドピースの給油メンテナンス装置は、開口部を有し医療用ハンドピースを収容する収容室が設けられた筐体と、収容室の開口部に対して開閉可能であり、かつ筐体に対して着脱可能な開閉扉と、筐体と開閉扉とを連結する連結部とを備えている。連結部は、筐体および開閉扉のいずれか一方に取り付けられた軸部と、筐体および開閉扉のいずれか他方に取り付けられ、かつ軸部を保持する保持部とを含んでいる。保持部は、軸部を受け入れる受け入れ口と、受け入れ口に連通し軸部を収納する収納部とを含んでいる。保持部は、軸部を保持した状態では、軸部の少なくとも一部と受け入れ口との間において軸部の径又は厚みよりも収納部の隙間が小さくなるように構成されており、かつ開閉扉を軸部の軸方向と直交する方向に引き出すことにより軸部が取り外されるときに、軸部の径又は厚みよりも隙間が大きくなるように弾性変形するように構成されている。
【発明の効果】
【０００７】
本発明の医療用ハンドピースの給油メンテナンス装置によれば、保持部は、開閉扉を軸部の軸方向と直交する方向に引き出すことにより軸部が取り外されるときに、軸部の径又は厚みよりも収納部の隙間が大きくなるように弾性変形するように構成されている。このため、開閉扉を筐体から容易に取り外すことができる。
【図面の簡単な説明】
【０００８】
【図１】本発明の一実施の形態における医療用ハンドピースの給油メンテナンス装置の構成を概略的に示す斜視図である。
【図２】図１に示される医療用ハンドピースの給油メンテナンス装置の開閉扉が開いた状態を概略的に示す斜視図である。
【図３】図２に示される医療用ハンドピースの給油メンテナンス装置に医療用ハンドピースが装着された状態を概略的に示す斜視図である。
【図４】図１に示される医療用ハンドピースの給油メンテナンス装置の構成を概略的に示す底面図である。
【図５】図４のＶ−Ｖ線に沿う拡大断面図である。
【図６】図５に示される連結部において軸部が取り外される様子を説明するための断面図である。
【図７】本発明の一実施の形態における医療用ハンドピースの給油メンテナンス装置の筐体から開閉扉が取り外される様子を説明するための斜視図である。
【図８】本発明の一実施の形態における医療用ハンドピースの給油メンテナンス装置の開閉扉が最大角度で開かれた状態を説明するための側面図である。
【図９】本発明の一実施の形態における医療用ハンドピースの給油メンテナンス装置の液受け部が本体部に対して着脱される様子を説明するための断面図である。
【図１０】本発明の一実施の形態における変形例１の医療用ハンドピースの給油メンテナンス装置の連結部の構成を概略的に示す断面図である。
【図１１】本発明の一実施の形態における変形例２の医療用ハンドピースの給油メンテナンス装置の連結部の構成を概略的に示す断面図である。
【図１２】本発明の一実施の形態における変形例３の医療用ハンドピースの給油メンテナンス装置の連結部の構成を概略的に示す断面図である。
【発明を実施するための形態】
【０００９】
以下、本発明の実施の形態について図に基づいて説明する。なお、以下の図においては、同一または相当する部分に同一の符号を付すものとし、重複する説明は繰り返さない。
【００１０】
まず、本発明の一実施の形態における医療用ハンドピースの給油メンテナンス装置の構成について説明する。本実施の形態では、医療用ハンドピースの一例として歯科用ハンドピースについて説明する。
【００１１】
図１〜図３を参照して、本実施の形態における医療用ハンドピースＨＰの給油メンテナンス装置１は、筐体１０と、開閉扉２０と、マニホールド３０と、チャックメンテナンス部４０と、スイッチ６０と、電源スイッチ７０と、連結部ＣＰと、固定部材ＦＭとを備えている。図３では、説明の便宜のため、医療用ハンドピースＨＰが図示されている。医療用ハンドピースＨＰは、メンテナンス処理の対象となる。医療用ハンドピースＨＰは、ドライブエア、給水、スプレーエア、排気の各流路を有している。また、図３では医療用ハンドピースＨＰとして、第１ハンドピースＨＰ１〜第４ハンドピースＨＰ４が図示されている。
【００１２】
筐体１０は、前面部１１と、側面部１２と、天井部１３と、底部１４とを有している。筐体１０には、医療用ハンドピースＨＰを収容する収容室ＩＳが設けられている。収容室ＩＳは、収容室ＩＳ内と収容室ＩＳ外とを連通する開口部ＯＰを有している。開口部ＯＰから収容室ＩＳの内部が露出している。
【００１３】
本実施の形態では、筐体１０は、シール部材ＳＭを含んでいる。シール部材ＳＭは、開口部ＯＰと開閉扉２０との間の空間を封止するように構成されている。具体的には、シール部材ＳＭは、開閉扉２０が閉じられた状態で、開口部ＯＰと開閉扉２０との間の空間を封止するように構成されている。シール部材ＳＭは、開口部ＯＰを取り囲むように配置されている。
【００１４】
開閉扉２０は、収容室ＩＳの開口部ＯＰに対して開閉可能に構成されている。開閉扉２０は、筐体１０に対して着脱可能に構成されている。開閉扉２０は、収容室ＩＳを覆うように構成されている。開閉扉２０は、筐体１０の前面部１１に配置されている。開閉扉２０は、開閉扉２０の下端部において筐体１０の底部１４に開閉可能に支持されている。開閉扉２０は、図２および図３中矢印Ａ１方向に開閉するように構成されている。
【００１５】
本実施の形態では、開閉扉２０は、透明および半透明の少なくともいずれかの部材から構成されている。また、開閉扉２０は、平板部２１と、液受け部２２とを含んでいる。平板部２１は平板状に構成されている。液受け部２２は、平板部２１から内側に突出するように設けられている。液受け部２２は、開閉扉２０の下部に配置されている。
【００１６】
固定部材ＦＭは、開閉扉２０が閉じられた状態で開閉扉２０を筐体１０に固定するように構成されている。固定部材ＦＭは、第１マグネットＦＭ１と、第２マグネットＦＭ２とを有している。第１マグネットＦＭ１は筐体１０に取り付けられている。第２マグネットＦＭ２は開閉扉２０に取り付けられている。第１マグネットＦＭ１と第２マグネットＦＭ２とが当接することにより開閉扉２０が閉じられた状態で開閉扉２０が筐体１０に固定される。本実施の形態では、固定部材ＦＭは２つ設けられている。つまり、第１マグネットＦＭ１および第２マグネットＦＭはそれぞれ２つずつ設けられている。
【００１７】
マニホールド３０は、筐体１０の収容室ＩＳ内において医療用ハンドピースＨＰに接続されるように構成されている。マニホールド３０は、接続部３１と、接続部３１に接続されるアダプタ５０とを有している。本実施の形態では、マニホールド３０は複数の接続部３１および複数のアダプタ５０を有している。複数の接続部３１の各々に複数のアダプタ５０の各々が接続されている。接続部３１およびアダプタ５０は、収容室ＩＳ内に配置されている。接続部３１は収容室ＩＳの天面から収容室ＩＳ内に突き出している。アダプタ５０は接続部３１に着脱自在に装着される。アダプタ５０内にはメンテナンス流体である油および空気を流す流路が設けられている。アダプタ５０は医療用ハンドピースＨＰの型式に対応した構成を有している。
【００１８】
また、マニホールド３０は、電磁弁を有している。マニホールド３０は、電磁弁を開閉することで油供給容器から第１ハンドピースＨＰ１〜第４ハンドピースＨＰ４に油を供給するように構成されている。マニホールド３０は、第１ハンドピースＨＰ１〜第４ハンドピースＨＰ４の各々に油が供給された状態で、電磁弁を開閉することで圧縮空気供給源から第１ハンドピースＨＰ１〜第４ハンドピースＨＰ４の各々に空気を供給することにより第２ハンドピースＨＰ２〜第４ハンドピースＨＰ４に供給された油が排出されるように構成されている。
【００１９】
医療用ハンドピースＨＰはアダプタ５０によってマニホールド３０に接続される。医療用ハンドピースＨＰは先端側のヘッド部に回転体収容空間を有している。回転体収容空間は回転体（ロータおよびタービン）と、この回転体を支持する軸受部とを収容している。回転体はチャック構成部を有している。チャック構成部の一端の開口から回転切削工具が着脱自在に挿入される。
【００２０】
チャックメンテナンス部４０は、医療用ハンドピースＨＰのチャック構成部にメンテナンス流体を供給するように構成されている。チャックメンテナンス部４０は収容室ＩＳの後面に設けられている。また、収容室ＩＳの後面には収容室ＩＳからオイルミストを排出するための開口ＨＬが設けられている。
【００２１】
スイッチ６０は医療用ハンドピースＨＰの給油メンテナンス装置１を操作するように構成されている。電源スイッチ７０は、医療用ハンドピースＨＰの給油メンテナンス装置１への電源からの電気の供給をＯＮまたはＯＦＦするように構成されている。
【００２２】
図２〜図４を参照して、連結部ＣＰは筐体１０と開閉扉２０とを連結するように構成されている。連結部ＣＰは、軸部ＣＰ１と、保持部ＣＰ２とを含んでいる。軸部ＣＰ１は、筐体１０および開閉扉２０のいずれか一方に取り付けられている。本実施の形態では、軸部ＣＰ１は、筐体１０に取り付けられている。具体的には、軸部ＣＰ１は軸受部ＢＲにより筐体１０に取り付けられている。軸受部ＢＲは軸部ＣＰ１を回転可能に支持している。保持部ＣＰ２は、筐体１０および開閉扉２０のいずれか他方に取り付けられている。本実施の形態では、保持部ＣＰ２は、開閉扉２０に取り付けられている。保持部ＣＰ２は軸部ＣＰ１を保持するように構成されている。
【００２３】
本実施の形態では、連結部ＣＰは、軸部ＣＰ１の軸方向に沿って開閉扉２０の一方側および他方側に配置されている。つまり、連結部ＣＰは、軸部ＣＰ１の軸方向に沿って開閉扉２０の両端部に配置されている。
【００２４】
図５を参照して、保持部ＣＰ２は、軸部ＣＰ１の受け入れ口ＲＯと、収納部ＴＰとを含んでいる。受け入れ口ＲＯは、軸部ＣＰ１を受け入れるように構成されている。軸部ＣＰ１は、円柱の外面円周の上下を軸方向に沿って面取りした断面が小判状となっている。受け入れ口ＲＯは軸部ＣＰ１の径方向に開口するように構成されている。受け入れ口ＲＯの幅は、軸部ＣＰ１の上記面取りをした上下面間の幅ＤＭよりも大きい。受け入れ口ＲＯの幅は、収納部ＴＰの幅をわずかに上回る大きさを有している。収納部ＴＰは、受け入れ口ＲＯに連通している。収納部ＴＰは、受け入れ口ＲＯに連通する部分以外で、軸部ＣＰ１の周方向に軸部ＣＰ１の外周面を取り囲むように構成されている。収納部ＴＰは、軸部ＣＰ１の径方向に軸部ＣＰ１を挟むように構成されている。収納部ＴＰは軸部ＣＰ１を収納するように構成されている。収納部ＴＰは、軸部ＣＰ１を収容する空間を有している。
【００２５】
図５および図６を参照して、保持部ＣＰ２は、軸部ＣＰ１を保持した状態では、軸部ＣＰ１の少なくとも一部と受け入れ口ＲＯとの間において軸部ＣＰ１の厚みＤＭよりも収納部ＴＰの隙間ＧＡが小さくなるように構成されている。保持部ＣＰ２は、開閉扉２０を軸部ＣＰ１の軸方向と直交する方向に引き出すことにより軸部ＣＰ１が取り外されるときに、軸部ＣＰ１の厚みＤＭよりも隙間ＧＡが大きくなるように前記保持部ＣＰ２がボールプランジャＢＬで弾性変形するように構成されている。尚、ここで、軸部ＣＰ１の厚みとは、前記保持部ＣＰ２に保持される軸部ＣＰ１の面取りをした上下面間の前記幅ＤＭを言う。
【００２６】
図５に示されるように、開閉扉２０が閉じられた状態では、受け入れ口ＲＯは下方に向けて配置されている。図６に示されるように、開閉扉２０が開かれた状態では、受け入れ口ＲＯは、後方（図１に示される前面部１１と反対側）に向けて配置されている。
【００２７】
本実施の形態では、軸部ＣＰ１には、軸部ＣＰ１の径方向に軸部ＣＰ１を貫通する貫通孔ＨＡが設けられている。貫通孔ＨＡは、収納部ＴＰが軸部ＣＰ１を挟む方向に沿って延びている。保持部ＣＰ２は、ボールプランジャＢＬを含んでいる。ボールプランジャＢＬは、ボールＢＡと、コイルバネＳＧとを有している。ボールＢＡは、軸部ＣＰ１の貫通孔ＨＡに嵌まるように構成されている。ボールＢＡと開閉扉２０とにコイルバネＳＧは挟まれている。ボールプランジャＢＬは、ボールＢＡが軸部ＣＰ１に向けて付勢するように構成されている。また、軸部ＣＰ１の貫通孔ＨＡの内径は、ボールＢＡの外径よりも小さく形成されている。また、ボールプランジャＢＬが収納部ＴＰに接する開口部の径は、ボールＢＡの径よりも小さく形成されているので、ボールＢＡが収納部ＴＰに完全に飛び出すことはなく、ボールＢＡはコイルバネＳＧにより軸部ＣＰ１に向けて付勢されるので、ボールＢＡの外周の一部が収納部ＴＰに飛び出す構成とされている。
【００２８】
図５に示されるように、開閉扉２０が閉められ保持部ＣＰ２は、軸部ＣＰ１を保持した状態では、ボールＢＡが貫通孔ＨＡに嵌まった状態で、コイルバネＳＧの付勢力によりボールＢＡが貫通孔ＨＡに保持されることにより、軸部ＣＰ１は保持部ＣＰ２に保持される。
【００２９】
図６に示されるように、開閉扉２０を開けた状態で開閉扉２０を軸部ＣＰ１の軸方向と直交する方向に引き出すことにより軸部ＣＰ１が受け入れ口ＲＯ側に移動すると、軸部ＣＰ１がボールＢＡを開閉扉２０に向けて押すことにより、ボールＢＡを介してコイルバネＳＧが収縮する。これにより、ボールＢＡが開閉扉２０に向けて移動することで、ボールＢＡが貫通孔ＨＡから外れる。この状態で、軸部ＣＰ１が保持部ＣＰ２の収納部ＴＰから受け入れ口ＲＯを通って抜き取れられることにより、軸部ＣＰ１が保持部ＣＰ２から取り外される。
【００３０】
図７を参照して、図７中矢印で示されるように、開閉扉２０に保持された保持部ＣＰ２が筐体１０に保持された軸部ＣＰ１から取り外されることにより、開閉扉２０が筐体１０から取り外される。また、開閉扉２０を筐体１０に取り付ける時には、図７中矢印で示されるように、開閉扉２０に保持された保持部ＣＰ２を筐体１０に保持された軸部ＣＰ１に押し入れることにより、ボールプランジャＢＬのボールＢＡが軸部ＣＰ１の貫通孔ＨＡに嵌まることで、軸部ＣＰ１が保持部ＣＰ２に保持される。
【００３１】
図８を参照して、本実施の形態では、開閉扉２０は、開閉扉２０が開かれた状態を軸部ＣＰ１の軸方向から見たときに、開閉扉２０と筐体１０の底部との成す角度θが１８０度未満となるように構成されている。開閉扉２０は、医療用ハンドピースＨＰの給油メンテナンス装置１が載置面ＧＲに置かれた状態で、開閉扉２０が開かれたときに、筐体１０に向けて高さが低くなるように傾斜している。
【００３２】
図９を参照して、本実施の形態では、液受け部２２は、平板部２１に着脱可能に構成されている。なお、図９では説明の便宜のため、平板部２１に取り付けられた液受け部２２が実線で示されており、平板部２１から取り外された液受け部２２が破線で示されている。また、図９中両矢印は、平板部２１に液受け部２２が着脱される様子を示している。
【００３３】
本実施の形態では、開閉扉２０は取付け部材２３を有している。取付け部材２３は平板部２１に取り付けられている。取付け部材２３の先端に先細り部２３ａが設けられている。先細り部２３ａは先端に向けて先細るように構成されている。液受け部２２は、凹部２２ａを有している。凹部２２ａは、先細り部２３ａに向けて開口している。液受け部２２は、先細り部２３ａが凹部２２ａに嵌合することで平板部２１に取り付けられるように構成されている。また、液受け部２２は、先細り部２３ａと凹部２２ａとの嵌合が解除されることで平板部２１から取り外されるように構成されている。
【００３４】
図１０を参照して、本実施の形態における変形例１の医療用ハンドピースの給油メンテナンス装置１の開閉扉２０と筐体１０との連結部ＣＰの構成について説明する。本実施の形態の変形例１では、軸部ＣＰ１は、開閉扉２０に取り付けられている。開閉扉２０は、突出部２４を有している。突出部２４は開閉扉２０の平板部２１から内側の筐体１０側に突出している。軸部ＣＰ１は突出部２４に取り付けられている。保持部ＣＰ２は、筐体１０に取り付けられている。具体的には、保持部ＣＰ２は筐体１０の底部１４に取り付けられている。
【００３５】
保持部ＣＰ２は軸部ＣＰ１を回転可能に支持している。保持部ＣＰ２は軸受として機能するように構成されている。軸部ＣＰ１は円柱状に構成されている。保持部ＣＰ２の収納部ＴＰは軸部ＣＰ１の外周面に沿うように構成されている。受け入れ口ＲＯは前方に向けて開口している。
【００３６】
保持部ＣＰ２は、ボールプランジャＢＬを含んでいる。ボールプランジャＢＬは、収納部ＴＰに軸部ＣＰ１が収容された状態では、ボールＢＡが軸部ＣＰ１よりも受け入れ口ＲＯ側に位置するように、コイルバネＳＧはボールＢＡを上方に向けて付勢するように構成されている。
【００３７】
図１０に示されるように、軸部ＣＰ１が保持部ＣＰ２に保持された状態では、ボールＢＡは、軸部ＣＰ１と受け入れ口ＲＯとの間に配置されている。図１０中矢印で示されるように、開閉扉２０が軸部ＣＰ１の軸方向と直交する方向に引き出されることにより軸部ＣＰ１が受け入れ口ＲＯ側に移動すると、軸部ＣＰ１がボールＢＡを下方に向けて押すことにより、ボールＢＡを介してコイルバネＳＧは収縮する。これにより、ボールＢＡが下方に向けて移動することで、軸部ＣＰ１がボールＢＡよりも受け入れ口ＲＯ側に移動することが可能となる。この状態で、軸部ＣＰ１が保持部ＣＰ２の収納部ＴＰから受け入れ口ＲＯを通って抜き取られることにより、軸部ＣＰ１が保持部ＣＰ２から取り外される。
【００３８】
図１０中矢印で示されるように、軸部ＣＰ１が保持部ＣＰ２から取り外されることにより、開閉扉２０が筐体１０から取り外される。また、開閉扉２０を筐体１０から取り外されるときと反対方向に押し出すことにより、ボールプランジャＢＬのボールＢＡが上下動して軸部ＣＰ１よりも受け入れ口ＲＯ側に位置することで、軸部ＣＰ１が保持部ＣＰ２に保持される。これにより、開閉扉２０が筐体１０に取り付けられる。
【００３９】
図１１を参照して、本実施の形態における変形例２の医療用ハンドピースの給油メンテナンス装置１の開閉扉２０と筐体１０との連結部ＣＰの構成について説明する。本実施の形態の変形例２では、軸部ＣＰ１は、筐体１０に取り付けられている。筐体１０は、突起部１５を有している。突起部１５は、底部１４から上方に突出している。軸部ＣＰ１は突起部１５に取り付けられている。保持部ＣＰ２は、開閉扉２０に取り付けられている。
【００４０】
保持部ＣＰ２は軸部ＣＰ１を回転可能に支持している。保持部ＣＰ２は軸受として機能するように構成されている。軸部ＣＰ１は円柱状に構成されている。保持部ＣＰ２の収納部ＴＰは軸部ＣＰ１の外周面に沿うように構成されている。軸部ＣＰ１が保持部ＣＰ２に保持された状態で受け入れ口ＲＯは下方に向けて開口している。
【００４１】
保持部ＣＰ２は板バネＬＳを含んでいる。板バネＬＳにより受け入れ口ＲＯと収納部ＴＰとが構成されている。軸部ＣＰ１が保持部ＣＰ２に保持された状態では、受け入れ口ＲＯと開閉扉２０との間の隙間は軸部ＣＰ１の径よりも小さい。保持部ＣＰ２は、軸部ＣＰ１が保持部ＣＰ２に保持された状態では、受け入れ口ＲＯと軸部ＣＰ１との間において軸部ＣＰ１の径ＤＭよりも収納部ＴＰの隙間ＧＡが小さくなるように構成されている。
【００４２】
図１１に示されるように、軸部ＣＰ１が保持部ＣＰ２に保持された状態では、受け入れ口ＲＯと軸部ＣＰ１との間において軸部ＣＰ１の径ＤＭよりも収納部ＴＰの隙間ＧＡが小さくなる。開閉扉２０が開かれた状態では、保持部ＣＰ２の受け入れ口ＲＯは図１１中矢印と反対側に開口している。開閉扉が開かれた状態で、図１１中矢印で示されるように、開閉扉２０が軸部ＣＰ１の軸方向と直交する方向に引き出されることにより軸部ＣＰ１が受け入れ口ＲＯ側に移動すると、保持部ＣＰ２は、板バネＬＳの弾性に抗して収納部ＴＰの隙間ＧＡが広がるように変形する。これにより、軸部ＣＰ１の径ＤＭよりも収納部ＴＰの隙間ＧＡを大きくすることが可能となる。この状態で、軸部ＣＰ１が保持部ＣＰ２の収納部ＴＰから受け入れ口ＲＯを通って抜き取られることにより、軸部ＣＰ１が保持部ＣＰ２から取り外される。
【００４３】
開閉扉２０が開かれた状態で、図１１中矢印で示されるように、軸部ＣＰ１が保持部ＣＰ２から取り外されることにより、開閉扉２０が筐体１０から取り外される。また、開閉扉２０を筐体１０から取り外されるときと反対方向に押し出すことにより、収納部ＴＰの隙間ＧＡが軸部ＣＰ１の径ＤＭよりも大きくなってから小さくなるように板バネＬＳが変形することで、軸部ＣＰ１が保持部ＣＰ２に保持される。これにより、開閉扉２０が筐体１０に取り付けられる。
【００４４】
図１２を参照して、本実施の形態における変形例３の医療用ハンドピースの給油メンテナンス装置１の開閉扉２０と筐体１０との連結部ＣＰの構成について説明する。本実施の形態の変形例３では、軸部ＣＰ１は、開閉扉２０に取り付けられている。開閉扉２０は、突出部２４を有している。突出部２４は開閉扉２０の平板部２１から内側に突出している。軸部ＣＰ１は突出部２４に取り付けられている。保持部ＣＰ２は、筐体１０に取り付けられている。具体的には、保持部ＣＰ２は筐体１０の底部１４に取り付けられている。
【００４５】
保持部ＣＰ２は軸部ＣＰ１を回転可能に支持している。保持部ＣＰ２は軸受として機能するように構成されている。軸部ＣＰ１は円柱状に構成されている。保持部ＣＰ２の収納部ＴＰは軸部ＣＰ１の外周面に沿うように構成されている。受け入れ口ＲＯは前方に向けて開口している。
【００４６】
保持部ＣＰ２は板バネＬＳを含んでいる。板バネＬＳにより受け入れ口ＲＯと収納部ＴＰとが構成されている。軸部ＣＰ１が保持部ＣＰ２に保持された状態では、受け入れ口ＲＯと開閉扉２０との間の隙間は軸部ＣＰ１の径よりも小さい。保持部ＣＰ２は、軸部ＣＰ１が保持部ＣＰ２に保持された状態では、受け入れ口ＲＯと軸部ＣＰ１との間において軸部ＣＰ１の径ＤＭよりも収納部ＴＰの隙間ＧＡが小さくなるように構成されている。
【００４７】
図１２に示されるように、軸部ＣＰ１が保持部ＣＰ２に保持された状態では、受け入れ口ＲＯと軸部ＣＰ１との間において軸部ＣＰ１の径ＤＭよりも収納部ＴＰの隙間ＧＡが小さくなる。図１２中矢印で示されるように、開閉扉２０が軸部ＣＰ１の軸方向と直交する方向に引き出されることにより軸部ＣＰ１が受け入れ口ＲＯ側に移動すると、保持部ＣＰ２は、板バネＬＳの弾性に抗して収納部ＴＰの隙間ＧＡが広がるように変形する。これにより、軸部ＣＰ１の径ＤＭよりも収納部ＴＰの隙間ＧＡを大きくすることが可能となる。この状態で、軸部ＣＰ１が保持部ＣＰ２の収納部ＴＰから受け入れ口ＲＯを通って抜き取られることにより、軸部ＣＰ１が保持部ＣＰ２から取り外される。
【００４８】
図１２中矢印で示されるように、軸部ＣＰ１が保持部ＣＰ２から取り外されることにより、開閉扉２０が筐体１０から取り外される。また、開閉扉２０を筐体１０から取り外されるときと反対方向に押し出すことにより、収納部ＴＰの隙間ＧＡが軸部ＣＰ１の径ＤＭよりも大きくなってから小さくなるように板バネＬＳが変形することで、軸部ＣＰ１が保持部ＣＰ２に保持される。これにより、開閉扉２０が筐体１０に取り付けられる。
【００４９】
次に、本実施の形態における作用効果について説明する。
本実施の形態における医療用ハンドピースＨＰの給油メンテナンス装置１によれば、開閉扉２０を筐体１０に取り付ける際には、筐体１０に備えられた軸部ＣＰ１に対して、開閉扉２０の保持部ＣＰ２の受け入れ口ＲＯを開口方向から押し込むことで、ボールプランジャＢＬのボールＢＡがコイルバネＳＧの付勢力に抗して押し込まれて内側に移動して、収納部ＴＰまで開閉扉２０を押し入れることで取り付けられる。保持部ＣＰ２は、軸部ＣＰ１を保持した状態では、ボールＢＡが貫通孔ＨＡに嵌まった状態で、コイルバネＳＧの付勢力によりボールＢＡが貫通孔ＨＡに保持されることにより、軸部ＣＰ１は保持部ＣＰ２に保持される。開閉扉２０は、開閉扉２０の収納部ＴＰに収納された軸部ＣＰ１を受け入れ口ＲＯの開口方向に引き出すことで、ボールＢＡがコイルバネＳＧの付勢力に抗して貫通孔ＨＡとの係合を解除する方向に移動することで、容易に筐体１０から取り外すことが出来る。
【００５０】
即ち保持部ＣＰ２は、開閉扉２０を軸部ＣＰ１の軸方向と直交する方向に引き出すことにより軸部ＣＰ１が取り外されるときに、軸部ＣＰ１の厚みＤＭよりも隙間ＧＡが大きくなるように弾性変形するように構成されている。このため、開閉扉２０を筐体１０から容易に取り外すことができる。また、開閉扉２０を軸部ＣＰ１の軸方向と直交する方向に押し出すことにより軸部ＣＰ１が取り付けられるときに、軸部ＣＰ１の厚みＤＭよりも収納部ＴＰの隙間ＧＡが大きくなるように前記保持部が弾性変形することで、開閉扉２０を筐体１０に容易に取り付けることができる。
【００５１】
本実施の形態における医療用ハンドピースＨＰの給油メンテナンス装置１によれば、保持部は、板バネおよびボールプランジャの少なくともいずれかを含んでいる。このため、板バネＬＳおよびボールプランジャＢＬの少なくともいずれかにより、開閉扉２０を筐体１０から容易に取り外すことができる。
【００５２】
本実施の形態における医療用ハンドピースＨＰの給油メンテナンス装置１によれば、軸部ＣＰ１は、筐体１０に取り付けられており、保持部ＣＰ２は、開閉扉２０に取り付けられている。このため、軸部ＣＰ１を筐体１０側に設け保持部ＣＰ２を開閉扉２０側に設けることができる。
【００５３】
本実施の形態における医療用ハンドピースＨＰの給油メンテナンス装置１によれば、連結部ＣＰは、軸部ＣＰ１の軸方向に沿って開閉扉２０の一方側および他方側に配置されている。開閉扉２０の一方側および他方側の両方で開閉扉２０が支持されるため、開閉扉２０を安定して支持することができる。
【００５４】
本実施の形態における医療用ハンドピースＨＰの給油メンテナンス装置１によれば、開閉扉２０は、開閉扉２０が開かれた状態を軸方向から見たときに、開閉扉２０と筐体１０の底部１４との成す角度が１８０度未満となるように構成されている。これにより、開閉扉２０を取り外し易くすることができる。
【００５５】
本実施の形態における医療用ハンドピースＨＰの給油メンテナンス装置１によれば、開閉扉２０は、透明および半透明の少なくともいずれかの部材から構成されている。このため、外部から開閉扉２０を通して開閉扉２０の内側の汚れを確認することができる。
【００５６】
本実施の形態における医療用ハンドピースＨＰの給油メンテナンス装置１によれば、開閉扉２０は平板状に構成された平板部２１を含んでいる。このため、開閉扉２０を水洗いすることが容易となる。また、水洗い後の拭き取りが容易となる。
【００５７】
本実施の形態における医療用ハンドピースＨＰの給油メンテナンス装置１によれば、液受け部２２は、開閉扉２０の下部に配置されている。このため、液受け部２２により開閉扉２０の内側を伝って垂れる油を受けることができる。
【００５８】
本実施の形態における医療用ハンドピースＨＰの給油メンテナンス装置１によれば、液受け部は、平板部に着脱可能に構成されている。このため、平板部２１から液受け部２２を取り外すことにより平板部２１および液受け部２２を清掃し易くすることができる。
【００５９】
本実施の形態における医療用ハンドピースＨＰの給油メンテナンス装置１によれば、シール部材は、開口部ＯＰを取り囲むように配置されている。このため、開閉扉２０と開口部ＯＰとの間の隙間から油または空気が漏れることを抑制することができる。また、収容室ＩＳに収容された医療用ハンドピースＨＰに空気が供給されたときのエアー流音が漏れることを抑制することができる。これにより、静音性を向上させることができる。
【００６０】
本実施の形態における医療用ハンドピースＨＰの給油メンテナンス装置１によれば、固定部材ＦＭは、開閉扉２０が閉じられた状態で開閉扉２０を筐体１０に固定するように構成されている。このため、固定部材ＦＭにより開閉扉２０が閉じられた状態で開閉扉２０を筐体１０に固定することができる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１  医療用ハンドピースの給油メンテナンス装置、１０  筐体、２０  開閉扉、２１  平板部、２２  液受け部、３０  マニホールド、３１  接続部、４０  チャックメンテナンス部、５０  アダプタ、６０  スイッチ、７０  電源スイッチ、ＢＬ  ボールプランジャ、ＢＰ  オイル回収管、ＣＰ  連結部、ＣＰ１  軸部、ＣＰ２  保持部、ＦＭ  固定部材、ＨＰ  医療用ハンドピース、ＨＰ１  第１ハンドピース、ＨＰ２  第２ハンドピース、ＨＰ３  第３ハンドピース、ＨＰ４  第４ハンドピース、ＩＳ  収容室、ＬＳ  板バネ、ＯＰ  開口部、ＲＯ  受け入れ口、ＳＭ  シール部材、ＴＰ  収納部。
【図１】
2019208740.tif 000003
【図２】
2019208740.tif 000004
【図３】
2019208740.tif 000005
【図４】
2019208740.tif 000006
【図５】
2019208740.tif 000007
【図６】
2019208740.tif 000008
【図７】
2019208740.tif 000009
【図８】
2019208740.tif 000010
【図９】
2019208740.tif 000011
【図１０】
2019208740.tif 000012
【図１１】
2019208740.tif 000013
【図１２】
2019208740.tif 000014